(57)【要約】      （修正有）【課題】扉が開いた状態ではかんぬきの移動を阻止する扉の安全装置を提供する。【解決手段】扉３０が回動可能に取り付けられる本体部と、扉３０に移動可能に設けられ扉３０が閉止された位置で本体部に進入して扉３０を本体部に固定するかんぬき３６をそれぞれ有する収納装置に用いられ、扉３０が開いた状態でかんぬき３６の移動を阻止する扉３０の安全装置４０において、かんぬき３６を係止する位置と係止しない位置を回動可能な係止部４４と、係止部を係止する位置に付勢する付勢部４６と、扉３０に取付けられ、係止部４４と付勢部を支持するベース部４２とを備え、係止部４４は、扉３０が開状態から閉止位置に移動された場合に、本体部の一部に当接して係止しない位置に回動され、かんぬき３６の本体部への進入を許可する【選択図】図６
2014047550.tif 000002
【特許請求の範囲】
【請求項１】
扉と、当該扉が回動可能に取り付けられる本体部と、前記扉に移動可能に設けられ前記扉が閉止された位置で前記本体部に進入して前記扉を前記本体部に固定するかんぬきと、をそれぞれ有する収納装置に用いられ、前記扉が開いた状態で前記かんぬきの移動を阻止する扉の安全装置において、
前記かんぬきを係止する位置と係止しない位置を回動可能な係止部と、
前記係止部を前記係止する位置に付勢する付勢部と、  
前記扉に取付けられ、前記係止部と前記付勢部を支持するベース部とを備え、
前記係止部は、前記扉が開状態から前記閉止位置に移動された場合に、前記本体部の一部に当接して係止しない位置に回動され、前記かんぬきの前記本体部への進入を許可する
ことを特徴とする扉の安全装置。
【請求項２】
前記係止部は、前記回動によって前記かんぬきに対して進退移動して、前記かんぬきを係止する係止片を有し、
前記係止片は、前記係止する位置では前記かんぬきに設けられた被係止部に進入し、前記係止しない位置では前記被係止部から退避する
ことを特徴とする請求項1に記載の扉の安全装置。
【請求項３】
前記係止部は、前記係止片を回動軸を中心にしての一方の側に有し、回動軸を中心にした他方の側に、前記扉が開状態から前記閉止位置に移動された場合に、前記本体部の一部に当接して、前記係止片を退避させるよう前記係止部を回動させる解除片を有する
ことを特徴とする請求項２に記載の扉の安全装置。
【請求項４】
前記本体部の一部として、前記解除片に当接する受け部を有する
ことを特徴とする請求項３に記載の扉の安全装置。
【請求項５】
請求項1乃至４のいずれか1項に記載される扉の安全装置を備える
ことを特徴とする収納装置。
【発明の詳細な説明】
【技術分野】
【０００１】
本発明は、かんぬきを有する収納装置の技術に関する。
【背景技術】
【０００２】
かんぬきの付いた扉を有する収納装置は、一般的なロッカーをはじめ、金融機関等に設置されるＡＴＭにも用いられている。ハンドルの回転等の操作により、かんぬきが本体にスライド移動して、扉が本体にロックされる。
【０００３】
図９は、従来のかんぬきの概略構造を示す図である。図９（Ａ）は、扉１３０を上から見た図で、要部を断面した図である。図９（Ｂ）は、扉１３０の内側から、扉１３０とかんぬき１３６を見た図である。扉１３０は、図９（Ａ）で向かって左端を中心とし、紙面に垂直な方向を回動軸として、本体部に開閉自在に取り付けられる。
【０００４】
扉１３０の内側には板状のかんぬき１３６が、左右方向であるｐ方向に移動自在に取り付けられる。扉１３０の外側にはハンドル１３２が回動自在に取付けられる。ハンドル１３２は、ハンドル１３２の回動操作に連動して、かんぬき１３６がｐ方向に移動するように、かんぬき１３６に連結される。
【０００５】
かんぬき１３６の右側面には、横方向に突出する突出部１３６ａが、高さ方向の全体に渡って一定間隔で設けられる。本体部内部の側面部１１４には、かんぬき１３６の突出部１３６ａに対応する位置に溝が設けられている。扉１３０を閉めた状態で、ハンドル１３２を操作することで、突出部１３６ａが側面部１１４の溝にはまり込み、扉１３０が本体部にロックされる。
【０００６】
以上のような収納装置において、かんぬきは扉を閉じたタイミングでハンドルが本体部に進入するのが望ましい。そのため、扉が開いた状態では、かんぬきの操作ができないようにするため、棒状のかんぬき部材の移動を阻止する部材を扉に設けた装置が特許文献１に提案されている。
【先行技術文献】
【特許文献】
【０００７】
【特許文献１】公開実用新案公報昭和６２−６１８６６号公報
【発明の概要】
【発明が解決しようとする課題】
【０００８】
扉が開いた状態でもかんぬきが動作可能であると、扉が開いた状態で突出したかんぬきに、衣服がはさまったり、あるいは異物をはさんだまま気づかずに扉を閉めてしまい、故障の原因ともなる。
【０００９】
本願発明は、上記課題に鑑み、扉が開いた状態ではかんぬきの移動を阻止する扉の安全装置を提供することを目的とする。
【課題を解決するための手段】
【００１０】
上記目的を達成するために、扉と、当該扉が回動可能に取り付けられる本体部と、前記扉に移動可能に設けられ前記扉が閉止された位置で前記本体部に進入して前記扉を前記本体部に固定するかんぬきと、をそれぞれ有する収納装置に用いられ、前記扉が開いた状態で前記かんぬきの移動を阻止する扉の安全装置において、前記かんぬきを係止する位置と係止しない位置を回動可能な係止部と、前記係止部を前記係止する位置に付勢する付勢部と、前記扉に取付けられ、前記係止部と前記付勢部を支持するベース部とを備え、前記係止部は、前記扉が開状態から前記閉止位置に移動された場合に、前記本体部の一部に当接して係止しない位置に回動され、前記かんぬきの前記本体部への進入を許可するものである。
【発明の効果】
【００１１】
本発明によれば、扉が開いた状態ではかんぬきの移動を阻止する扉の安全装置を提供することができる。
【図面の簡単な説明】
【００１２】
【図１】本発明の実施の形態に係るＡＴＭの外観を示す図である。
【図２】収納装置１全体を前面側から見た斜視図である。
【図３】扉３０とかんぬき３６の関係を示す図である。
【図４】かんぬき３６の平面図である。
【図５】ストッパー部４０を３方向から見た外観斜視図である。
【図６】閉止位置に移動される扉３０の位置に応じて、かんぬき３６のロック位置への移動が許可させる様子を段階的に示す図である。
【図７】扉３０を閉止状態から開放する場合に、かんぬき３６のロック位置への移動が阻止させる様子を段階的に示す図である。
【図８】安全装置６０の他の実施形態を示す図である。
【図９】従来のかんぬきの概略構造を示す図である。
【発明を実施するための形態】
【００１３】
以下、図面に従って本発明の実施形態を説明する。図１は、収納装置１をＡＴＭに適用した例で、適用したＡＴＭを背面側から見た外観図である。図１（Ａ）は、本体部１０に対して、扉３０が開放された状態である。図１（Ｂ）は、本体部１０に対して、扉３０が閉止された状態である。なお、本体部１０の背面側であって、扉３０が開閉される側の面を、扉面１２と呼ぶ。
【００１４】
本体部１０は、本図で向かって右側面に縦方向に不図示のヒンジを有し、扉３０はヒンジを介して、本体部１０に対して鉛直方向を回動軸として回動可能に取り付けられる。
【００１５】
扉３０の裏面には、かんぬきが設けられる。かんぬきは、扉に移動可能に設けられ、扉が閉止された位置で本体部１０に進入して扉を固定するものである。
【００１６】
扉３０の表側には、ハンドル３２が設けられる。ハンドル３２は、扉３０に当該扉３０の面に沿って約９０度回動可能に取り付けられ、回動操作によってかんぬきを移動させて扉３０を本体部１０に固定(ロック)するものである。ハンドル３２は、扉３０が開いた状態では水平方向を向き、扉３０が閉まった状態では、倒す方向（ｑ方向）に操作されて、扉３０を本体部１０にロックする。
【００１７】
本体部１０の内部には、かんぬきが挿入される受け溝１６が、設けられる。本体部１０内部の左側面であって、扉面１２に近い位置に、受け溝１６が形成された受け溝板１４に設けられる。受け溝１６は、受け溝板１４に縦方向の細長い孔として、かんぬきの形状に対応して所定間隔で複数形成される。扉３０を閉めた状態で、ハンドル３２が操作されると、左方向に移動したかんぬきが受け溝１６に挿入される。
【００１８】
収納装置１には、扉が開いた状態でかんぬきの移動を阻止する安全装置６０が設けられる。安全装置６０は、ストッパー部４０と受け部２０を有する。ストッパー部４０は、扉３０の内側の破線で示すような位置に設けられる。受け部２０は、ストッパー部４０に対応する位置で、受け溝板１４に設けられる。
【００１９】
本体部１０の上部には、搭載ユニット２６が設けられる。搭載ユニット２６は、例えば現金ユニットや印刷ユニット等のＡＴＭ用のユニットである。
【００２０】
図２は、収納装置１全体をＡＴＭの前面側から見た斜視図である。図２では、扉３０の裏側の構成を示すために、本体部１０を透視した状態を示す。扉３０は、本体部１０にｒ方向に回動可能に取り付けられる。
【００２１】
扉３０は略四角の板状の部材である。扉３０は、不図示のヒンジによって本体部１０に開閉自在に取り付けられる。扉３０の裏側には、かんぬきを覆うバックカバー３４が取付けられる。バックカバー３４は略四角で、底の浅い箱状に形成された部材で、内部にかんぬき３６を保護している。バックカバー３４は、高さが扉３０に渡る長さで、幅は扉３０の半分程度である。本図で見てバックカバー３４の右側面から、かんぬき３６の一部である突出部３６ａが露出している。バックカバー３４の右側には、安全装置６０の一部であるストッパー部４０が取付けられる。
【００２２】
図３は、扉３０とかんぬき３６の関係を示す図である。図３（Ａ）は、扉３０を上から見た図で、要部の断面図である。図３（Ｂ）は、扉３０とかんぬき３６を、内側から見た図で、図２と同じ方向から見た図である。図３では、バックカバー３４の外形を破線で示す。
【００２３】
扉３０は、図３（Ａ）で向かって左端を中心とし、紙面に垂直な方向を回動軸として、ｒ方向に回動可能に本体部１０に開閉自在に設けられる。扉３０の内側には板状のかんぬき３６が設けられ、扉３０に対してｐ方向（左右方向）に移動自在になるように取り付けられる。
【００２４】
かんぬき３６は、縦長の板状形状で、その高さは、およそ扉３０全体に渡る長さである。かんぬき３６の幅は、扉３０の幅の半分弱である。以下で、かんぬき３６が本体部１０に進入した状態をロック状態、本体部１０から離脱した状態をアンロック状態と呼び、ロック状態となるかんぬき３６の位置をロック位置、アンロック状態となるかんぬき３６の位置をアンロック位置と呼ぶ。図３（Ｂ）で、実線はロック位置のかんぬき３６を示し、２点鎖線はアンロック位置のかんぬき３６を示す。
【００２５】
かんぬき３６には、本体部１０の受け溝１６にはまり込む突出部３６ａが設けられる。突出部３６ａは、かんぬき３６の本図で見て右側面に縦方向に一定の間隔で設けられる。突出部３６ａは、ロック位置ではバックカバー３４の側面から突出し、アンロック位置では、バックカバー３４内部に引っ込む。
【００２６】
かんぬき３６は、扉３０の外側に設けられたハンドル３２と連結される。図示なき連結部の作用により、ハンドル３２の回動操作によって、かんぬき３６はｐ方向にスライド移動される。扉３０を閉めた状態で、ハンドル３２を回動操作することで、かんぬき３６がロック位置に移動して、突出部３６ａが受け溝板１４の受け溝１６にはまり込み、扉３０が本体部１０にロックされる。
【００２７】
逆に、扉３０を閉めた状態から、ハンドル３２を逆方向に回動操作して、突出部３６ａを本体部１０の受け溝１６から脱出させることで、かんぬき３６はアンロック位置に移動され、扉３０を開けることができる。
【００２８】
ストッパー部４０が設けられる位置をハッチングで示す。ストッパー部４０の詳細は、図５で説明する。また、ストッパー部４０を水平に断面したＡＡ断面については、図７で説明する。
【００２９】
図４は、かんぬき３６の平面図である。図３（Ｂ）で示したかんぬき３６を抜き出して示すものである。かんぬき３６は、右側に縦に一定間隔のピッチで、凸状の突出部３６ａが形成される。
【００３０】
かんぬき３６には、突出部３６ａより左側の位置に、ガイド孔３６ｂが設けられる。ガイド孔３６ｂは、かんぬき３６を扉３０に対して左右方向に移動させるためのガイドで、扉３０の内側に設けられたガイドピン(不図示)が嵌合する。ガイド孔３６ｂは、かんぬき３６の移動量相当分の長さを有する横長の溝で、縦方向に一定の間隔で、複数配列される。
【００３１】
かんぬき３６には、さらに、ストッパー部４０の取付け位置に対応した位置に、被係止部３６ｄが設けられる。被係止部３６ｄに、ストッパー部４０に設けられた係止部が進入する。
【００３２】
図５は、ストッパー部４０を３方向から見た外観斜視図である。図５（Ａ）は、図２で示した方向から見た、ストッパー部４０の拡大図である。図５（Ｂ）は、図５（Ａ）のストッパー部４０を紙面右方向から見た図である。図５（Ｃ）は、図５（Ａ）のストッパー部４０を裏側から見た図である。
【００３３】
ストッパー部４０は、ベース部４２、係止部４４、付勢部４６を有する。ベース部４２は、係止部４４と付勢部４６を支持するための基台で、バックカバー３４を介して扉３０に取付けられる。
【００３４】
ベース部４２は、ベース上部４２ａと、ベース上部４２ａの各４辺から、同じ垂直方向に立設される４つベース壁部４２ｂを有する。また、ベース部４２は、４つのベース壁部４２ｂのうち３つのベース壁部４２ｂの端部に、それぞれの端部から外側に伸びて、ベース部４２と平行なベース底部４２ｃを有する。
【００３５】
ベース底部４２ｃは、ベース部４２がバックカバー３４に取付けられる取付面を構成し、３つのベース底部４２ｃは、同一面である（図５（Ｃ）参照）。ベース底部４２ｃには、それぞれネジ孔が形成され、ストッパー部４０は、３か所のネジ５２によって、バックカバー３４に固定される。
【００３６】
支軸４８は、係止部４４を回動自在に支持するもので、対向する２面のベース壁部４２ｂを貫通して取付けられる。バネ押さえ軸５０は、支軸４８に隣り合う位置で、支軸４８に平行な向きで、支軸４８と同様に２面のベース壁部４２ｂを貫通するように取付けられる。
【００３７】
ベース上部４２ａとベース壁部４２ｂによって囲まれる４角の箱状の内部に、係止部４４、付勢部４６が取付けられる。
【００３８】
係止部４４は、かんぬきを係止する位置と係止しない位置を回動するものである。係止部４４は、レバー形状の板状部材で構成される。係止部４４には、支軸４８に嵌合する孔が設けられ、支軸４８に回動自在に支持される（図５（Ｃ）参照）。
【００３９】
係止部４４の回動軸を中心とした一方の側は、ベース部４２によって形成される箱状の内部に含まれ、係止片４４ｃが設けられる（図５（Ｃ）参照）。
また、係止部４４の回動軸を中心とした他方の側が、ベース部４２の外に露出され、解除片４４ａが設けられる（図５（Ｂ）参照）。
【００４０】
係止片４４ｃは、係止部４４の回動によってかんぬき３６の被係止部３６ｄに対して進退移動して、かんぬき３６を係止するものである。係止片４４ｃは、係止する位置ではかんぬきに設けられた被係止部３６ｄに進入し、係止しない位置では被係止部３６ｄから退避する。
【００４１】
解除片４４ａは、レバー形状の板状部材の先端で、直角に曲げられた部分である。解除片４４ａは、扉３０が開状態から閉止位置に移動された場合に、本体部１０の一部に当接して、係止片４４ｃを退避させるよう係止部４４を回動させるものである。
【００４２】
支軸４８には、係止部４４を係止する位置に付勢する付勢部４６が組み付けられる。付勢部４６は、例えばトーションバネで、係止部４４を軸の片側に寄せるようにして、支軸４８にコイル部が巻回するように取り付けられる。
【００４３】
付勢部４６の一方の腕部４６ａは、バネ押さえ軸５０に当接し（図５（Ｃ）参照）、付勢部４６の他方の腕部４６ｂは、係止部４４の解除片４４ａに当接して（図５（Ｂ）参照）、係止部４４を係止する方向に付勢する。
【００４４】
係止部４４には、解除片４４ａによって付勢方向とは逆方向に回動される係止部４４を停止させる当接部Ａ４４ｂが設けられる（図５（Ｃ）参照）。
【００４５】
図６は、閉止位置に移動される扉３０の位置に応じて、かんぬき３６のロック位置への移動が許可させる様子を段階的に示す図である。図６は、図３（Ｂ）のＡＡ断面の拡大図である。扉３０は、ｒ方向（時計方向）に回動されて、図６（Ａ）から（Ｄ）の順番に、扉３０が閉まっていく。
【００４６】
図６（Ａ）は、扉３０がまだ本体部１０から離れている状態である。係止部４４は付勢部４６による付勢力によって、本図で見て時計方向に回動されて、係止片４４ｃはかんぬき３６の被係止部３６ｄに進入した状態が維持されている。この状態では、係止部４４の回動中心近傍の当接部Ｂ４４ｄが、ベース上部４２ａの内面に当接することで、係止部４４は所定の角度に停止している。
【００４７】
かんぬき３６は、アンロック位置に保持され、ロック位置への移動は係止片４４ｃにより阻止される。従って、この状態ではハンドル３２を回動することができないため、かんぬき３６の突出部３６ａが、バックカバー３４から飛び出るおそれはない。
【００４８】
図６（Ｂ）は、扉３０が閉まる位置の直前の状態である。係止部４４の解除片４４ａが、本体部１０に設けられた受け部２０に当接しはじめた状態を示す。解除片４４ａが当接することで、係止部４４は付勢力に抗して反時計方向に回動されていき、係止片４４ｃが被係止部３６ｄから退避する方向に移動していく。
【００４９】
図６（Ｃ）は、扉３０が本体部１０に完全に閉められた状態である。受け部２０に解除片４４ａが当接して、係止部４４が反時計方向にさらに回動されることで、係止片４４ｃが被係止部３６ｄから完全に退避する。この位置まで扉３０が閉まると、かんぬき３６の移動を阻止するものがなくなり、ハンドル３２の操作によってかんぬき３６の突出部３６ａをバックカバー３４から飛び出せることができる。
【００５０】
この状態で、かんぬき３６は、かんぬき３６の移動方向に受け溝板１４の受け溝１６がくるような位置に移動される。また、この状態で、係止部４４の当接部Ａ４４ｂが、ベース上部４２ａの内面に当接することで、係止部４４は所定の角度に停止する。
【００５１】
図６（Ｄ）は、扉３０が本体部１０に閉められた後に、かんぬき３６によりロックされた状態である。ハンドル３２の操作によって、かんぬき３６が右方向に移動され、突出部３６ａが受け溝１６に進入し、ロック位置に移動して、扉３０がロックされる。
【００５２】
図７は、扉３０を閉止状態から開放する場合に、かんぬき３６の移動が阻止させる様子を段階的に説明する図である。図６とは、逆方向の操作である。図７（Ａ）から（Ｃ）の順番に、扉３０が開いていく。
【００５３】
図７（Ａ）は、扉３０が本体部１０に閉められて、かんぬき３６によりロックされた状態である。図７（Ａ）は、図６（Ｄ）と同一の状態で、突出部３６ａが受け溝１６に進入した、かんぬき３６がロック位置にある状態である。
【００５４】
図７（Ｂ）は、ハンドル３２の操作によって、かんぬき３６が矢印で示す左方向に移動され、突出部３６ａが受け溝１６から後退して、かんぬき３６がロックが解除されて、アンロックになった状態である。
【００５５】
図７（Ｃ）は、扉３０がｒ方向に回動されて、扉３０が少し開きかけた状態である。解除片４４ａが本体部１０の受け部２０から遠ざかることに応じて、その分だけ係止部４４が付勢力によって時計方向に回動する。そして、係止片４４ｃが被係止部３６ｄに進入して、係止片４４ｃがかんぬき３６のロック位置への移動を阻止することになる。
【００５６】
さらに、扉３０がさらにｒ方向に回動されて、解除片４４ａが受け部２０から完全に離れると、図６（Ａ）で示したと同様な状態になる。この状態では、かんぬき３６は、アンロック位置で保持され、ロック位置への移動は係止片４４ｃにより阻止される。従って、ハンドル３２の操作もできなくなり、かんぬき３６の突出部３６ａが、バックカバー３４から飛び出るおそれはなくなる。
【００５７】
図８は、安全装置６０の他の実施形態を示す図である。上述の実施形態では、扉３０が閉まる角度の位置で、係止部４４を反時計方向に回動させるように、解除片４４ａに当接する受け部２０を本体部１０に設けていた。
【００５８】
しかし、受け部２０は専用の部材として設ける必要は必ずしもなく、ストッパー部４０に対応する位置にある本体部１０あるいはその部品を、利用することも可能である。図８は、その１例を示すものである。ここでは、受け部２０として、搭載ユニット２６を外形の一部利用している。
【００５９】
図８（Ａ）から（Ｄ）は、図６と同様に、扉３０の閉まる順番に従って、安全装置６０の動作を段階的に示すものである。図１（Ａ）では、搭載ユニット２６が、ストッパー部４０より上の位置に設けられている例を説明したが、本例では、搭載ユニット２６の１つである搭載ユニット２６ａが、ストッパー部４０に対応する位置に設けられているものとする。
【００６０】
また、本例の安全装置６０では、解除片と受け部以外は、上述の実施形態と基本的には同じであるので、煩雑さを避けるために、以下では、相違点を中心に説明する。
【００６１】
図８（Ａ）は、扉３０が、ｒ方向に回動されて閉められる途中の状態を示すもので、図６（Ａ）と同じ状態である。上述（図６）の実施形態では、解除片４４ａは、係止部４４の回動方向に直交する角度に突出するように設けられていたが、本例の解除片４４ｅは、係止部４４の右端部から凸状に設けられ、ベース上部４２ａよりさらに下側に飛び出る形状である。
【００６２】
図８（Ｂ）は、扉３０がさらにｒ方向に回動され、本体部１０に閉められる直前の状態を示す図である。解除片４４ｅが搭載ユニット２６ａの一部に当接を開始した状態である。解除片４４ｅの当接によって、係止部４４が反時計方向への回動が開始され、係止片４４ｃが、被係止部３６ｄから退避しつつある状態である。
【００６３】
図８（Ｃ）は、扉３０が完全に閉められた状態である。当接部Ａ４４ｂがベース上部４２ａに当たって、係止部４４の回動は停止される。係止片４４ｃは、被係止部３６ｄから完全に退避した状態である。かんぬき３６のロック位置（矢印方向）への移動の阻止が解除され、ハンドル３２の操作ができる状態である。
【００６４】
図８（Ｄ）は、扉３０がロックされた状態である。ハンドル３２が回動操作され、かんぬき３６が受け溝１６に進入して、かんぬき３６がロック位置に移動し、扉３０がロックされる。
本実施例では、解除片４４ｅの当接が、搭載ユニット２６ａの一部としているが、本体部１０の一部であってもよい。
【００６５】
以上により、本実施形態によれば、扉が閉まった状態でないと、かんぬきを突出操作できないようにしたので、扉が開いた状態でかんぬきを移動させて、衣服をはさんだり、あるいは異物をはさんだまま気づかずに扉を閉めてしまって、扉に故障をおこす等を確実に防止することができる。
【００６６】
また、扉３０が閉まると安全装置が自動的に解除され、かんぬきをロック位置に移動できるようになるために、使い勝手上の煩わしさもない。さらに、安全装置の本体部側の受け部を、収納装置内部の搭載ユニットの一部を利用するようにすれば、よりコスト低減にもなる。
【００６７】
また、上記説明した実施形態につき、以下の変形が可能である。
１）上述の実施形態では、安全装置を１つ設ける例を説明したが、安全装置は、上下に複数設けてもよい。
２）かんぬきの移動方向を左右方向で説明したが、かんぬきの移動方向は上下方向であっても良い。安全装置を、扉３０の上端あるいは下端の適当な位置に設置し、対応する位置に受け部を設ければ、上述の実施形態と同様な作用効果を得ることができる。
【００６８】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組合わせても良い。さらに、異なる実施形態にわたる構成要素を適宜組合わせてもよい。このような、発明の趣旨を逸脱しない範囲内において種々の変形や応用が可能であることはもちろんである。
【符号の説明】
【００６９】
１      収納装置
１０    本体部
１２    扉面
１４    受け溝板
１６    受け溝
２０    受け部
２６    搭載ユニット
３０    扉
３２    ハンドル
３４    バックカバー
３６    かんぬき
３６ａ  突出部
３６ｂ  ガイド孔
３６ｄ  被係止部
４０    ストッパー部
４２    ベース部
４２ａ  ベース上部
４２ｂ  ベース壁部
４２ｃ  ベース底部
４４    係止部  
４４ａ  解除片
４４ｂ  当接部Ａ
４４ｃ  係止片
４４ｄ  当接部Ｂ
４４ｅ  解除片
４５    付勢部
４８    支軸
５０    バネ押さえ軸
５２    ネジ
６０    安全装置
【図１】
2014047550.tif 000003
【図２】
2014047550.tif 000004
【図３】
2014047550.tif 000005
【図４】
2014047550.tif 000006
【図５】
2014047550.tif 000007
【図６】
2014047550.tif 000008
【図７】
2014047550.tif 000009
【図８】
2014047550.tif 000010
【図９】
2014047550.tif 000011